【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
電子写真方式により像担持体に形成した像を周回駆動される中間転写体に一次転写した後、前記中間転写体の像を記録材に二次転写することで画像形成を行う画像形成装置において、
前記中間転写体表面をクリーニングするクリーニング手段と、
前記クリーニング手段を前記中間転写体に対して、当接及び離間を行う接離手段と、
前記中間転写体の周回方向の長さを検知する検知手段と、
前記接離手段が前記クリーニング手段を前記中間転写体に対して当接／離間するタイミングにおいて検知された前記周回方向の長さと、前記接離手段が前記クリーニング手段を前記中間転写体に対して当接／離間しないタイミングにおいて検知された前記周回方向の長さとに基づいて、前記像担持体に対する作像タイミングを制御する制御手段とを備えることを特徴とする画像形成装置。
【請求項２】
前記検知手段は、前記中間転写体に付設される基準部材を検知する基準部材検知手段と、前記基準部材検知手段より得られる第１の検知信号から前記中間転写体の周回に伴い得られる第２の検知信号までの間の時間を測定する測定手段とを備えることを特徴とする請求項１記載の画像形成装置。
【請求項３】
前記制御手段は、
複数色の作像開始信号を生成する信号生成手段と、
前記接離手段が前記クリーニング手段を前記中間転写体に対して当接／離間しないタイミングにおいて前記検知手段により検知された前記周回方向の長さに基づいて、前記信号生成手段に入力する作像タイミングの目標値を設定する目標値設定手段と、
前記目標値設定手段で設定した目標値を、前記接離手段が前記クリーニング手段を前記中間転写体に対して当接／離間するタイミングにおいて前記検知手段により検知された前記周回方向の長さに基づいて補正する補正手段とを備えることを特徴とする請求項１又は２記載の画像形成装置。
【請求項４】
前記補正手段は、前記目標値設定手段で設定した目標値に、前記接離手段が前記クリーニング手段を前記中間転写体に対して当接／離間するタイミングにおいて前記検知手段により検知された周回方向の長さを考慮したオフセット値を付加することで補正することを特徴とする請求項３記載の画像形成装置。
【請求項５】
前記信号生成手段は、イエロー、マゼンタ、シアン、ブラックの各色の夫々の信号を生成する４つの信号生成手段を備え、前記目標値設定手段は、前記夫々の信号に対する作像タイミングの目標値を設定することを特徴とする請求項３又は４記載の画像形成装置。
【請求項６】
前記信号生成手段は、少なくとも、前記中間転写体に貼り付けられる奇数枚目の記録材に対応するＡ面用と、前記中間転写体に貼り付けられる偶数枚目の記録材に対応するＢ面用の夫々の信号を生成する少なくとも２つの信号生成手段を備え、前記目標値設定手段は、前記Ａ面用及び前記Ｂ面用の夫々の信号に対する作像タイミングの目標値を設定することを特徴とする請求項３又は４記載の画像形成装置。
【請求項７】
電子写真方式により像担持体に形成した像を周回駆動される中間転写体に一次転写する一次転写部と、前記中間転写体の像を記録材に二次転写する二次転写部とを備える画像形成装置において、
前記二次転写部を前記中間転写体に対して、当接及び離間を行う接離手段と、
前記中間転写体の周回方向の長さを検知する周長検知手段と、
前記接離手段が前記二次転写部を前記中間転写体に対して当接／離間するタイミングにおいて検知された前記周回方向の長さと、前記接離手段が前記二次転写部を前記中間転写体に対して当接／離間しないタイミングにおいて検知された前記周回方向の長さとに基づいて、前記像担持体に対する作像タイミングを制御する制御手段とを備えることを特徴とする画像形成装置。
【請求項８】
前記検知手段は、前記中間転写体に付設される基準部材を検知する基準部材検知手段と、前記基準部材検知手段より得られる第１の検知信号から前記中間転写体の周回に伴い得られる第２の検知信号までの間の時間を測定する測定手段とを備えることを特徴とする請求項７記載の画像形成装置。
【請求項９】
前記制御手段は、
複数色の作像開始信号を生成する信号生成手段と、
前記検知手段により検知された前記接離手段が前記二次転写部を前記中間転写体に対して当接／離間しないタイミングにおいて前記検知手段により検知された周回方向の長さに基づいて、前記信号生成手段に入力する作像タイミングの目標値を設定する目標値設定手段と、
前記目標値設定手段で設定した目標値を、前記接離手段が前記二次転写部を前記中間転写体に対して当接／離間するタイミングにおいて前記検知手段により検知された周回方向の長さに基づいて補正する補正手段とを備える請求項７又は８記載の画像形成装置。
【請求項１０】
前記補正手段は、前記目標値設定手段で設定した目標値に、前記接離手段が前記二次転写部を前記中間転写体に対して当接／離間するタイミングにおいて前記検知手段により検知された周回方向の長さを考慮したオフセット値を付加することで補正することを特徴とする請求項９記載の画像形成装置。
【請求項１１】
前記信号生成手段は、イエロー、マゼンタ、シアン、ブラックの各色の夫々の信号を生成する４つの信号生成手段を備え、前記目標値設定手段は、前記夫々の信号に対する作像タイミングの目標値を設定することを特徴とする請求項９又は１０記載の画像形成装置。
【請求項１２】
前記信号生成手段は、少なくとも、前記中間転写体に貼り付けられる奇数枚目の記録材に対応するＡ面用と、前記中間転写体に貼り付けられる偶数枚目の記録材に対応するＢ面用の夫々の信号を生成する少なくとも２つの信号生成手段を備え、前記目標値設定手段は、前記Ａ面用及び前記Ｂ面用の夫々の信号に対する作像タイミングの目標値を設定することを特徴とする請求項９又は１０記載の画像形成装置。
【請求項１３】
前記中間転写体は、ベルト方式、ドラム方式を含むことを特徴とする請求項１乃至１２のいずれか１項に記載の画像形成装置。
【請求項１４】
前記画像形成装置は、プリンタ、複写機、複合機を含むことを特徴とする請求項１乃至１３のいずれか１項に記載の画像形成装置。
【請求項１５】
電子写真方式により像担持体に形成した像を周回駆動される中間転写体に一次転写した後、前記中間転写体上の像を、記録材に二次転写することで画像形成を行い、前記中間転写体表面をクリーニングするクリーニング手段と、前記クリーニング手段を前記中間転写体に対して、当接及び離間を行う接離手段を有する画像形成装置の画像形成制御方法において、
前記接離手段が前記クリーニング手段を前記中間転写体に対して当接／離間するタイミングにおいて前記中間転写体の周回方向の長さを検知する第１の周長検知ステップと、
前記接離手段が前記クリーニング手段を前記中間転写体に対して当接／離間しないタイミングにおいて前記周回方向の長さを検知する第２の周長検知ステップと、前記第１の周長検知ステップと前記第２の周長検知ステップでの検知結果に基づいて、前記像担持体に対する作像タイミングを制御する制御ステップを備えることを特徴とする画像形成制御方法。
【請求項１６】
前記制御ステップは、
複数色の作像開始信号を生成する信号生成ステップと、
前記第１の周長検知ステップで検知した周長に基づいて、前記信号生成ステップで使用する作像タイミングの目標値を設定する目標値設定ステップと、
前記目標値設定ステップで設定した目標値を、前記第２の周長検知ステップで検知した周長に基づいて、前記目標値を補正する補正ステップとを備えることを特徴とする請求項１５記載の画像形成制御方法。
【請求項１７】
前記補正ステップは、前記目標値設定ステップで設定した目標値に、前記第２の周長検知ステップにより検知された周回方向の長さを考慮したオフセット値を付加することで補正することを特徴とする請求項１６記載の画像形成制御方法。
【請求項１８】
前記第１と第２の周長検知ステップは、前記中間転写体に付設される基準部材を検知する基準部材検知ステップと、前記基準部材検知ステップより得られる第１の検知信号から前記中間転写体の周回に伴い得られる第２の検知信号までの間の時間を測定する測定ステップとを備えることを特徴とする請求項１５乃至１７のいずれか１項に記載の画像形成制御方法。
【請求項１９】
前記信号生成ステップは、イエロー、マゼンタ、シアン、ブラックの各色の夫々の信号を生成する４つの信号生成ステップを備え、前記目標値設定ステップは、前記夫々の信号に対する作像タイミングの目標値を設定することを特徴とする請求項１６乃至１８のいずれか１項に記載の画像形成制御方法。
【請求項２０】
前記信号生成ステップは、少なくとも、前記中間転写体に貼り付けられる奇数枚目の記録材に対応するＡ面用と、前記中間転写体に貼り付けられる偶数枚目の記録材に対応するＢ面用の夫々の信号を生成する少なくとも２つの信号生成ステップを備え、前記目標値設定ステップは、前記Ａ面用及び前記Ｂ面用の夫々の信号に対する作像タイミングの目標値を設定することを特徴とする請求項１６乃至１８のいずれか１項に記載の画像形成制御方法。
【請求項２１】
電子写真方式により像担持体に形成した像を周回駆動される中間転写体に一次転写する一次転写部と、前記中間転写体上の像を、記録材に二次転写することで画像形成を行い、前記中間転写体上の像を記録材に二次転写する二次転写部と、前記二次転写部を前記中間転写体に対して、当接及び離間を行う接離手段を有する画像形成装置の画像形成制御方法において、
前記接離手段が前記二次転写部を前記中間転写体に対して当接／離間するタイミングにおいて前記中間転写体の周回方向の長さを検知する第１の周長検知ステップと、
前記接離手段が前記二次転写部を前記中間転写体に対して当接／離間しないタイミングにおいて前記周回方向の長さを検知する第２の周長検知ステップと、
前記第１の周長検知ステップと前記第２の周長検知ステップでの検知結果に基づいて、前記像担持体に対する作像タイミングを制御する制御ステップとを備えることを特徴とする画像形成制御方法。
【請求項２２】
前記制御ステップは、
複数色の作像開始信号を生成する信号生成ステップと、
前記第１の周長検知ステップで検知した周長に基づいて、前記信号生成ステップで使用する作像タイミングの目標値を設定する目標値設定ステップと、
前記目標値設定ステップで設定した目標値を、前記第２の周長検知ステップで検知した周長に基づいて、前記目標値を補正する補正ステップとを備えることを特徴とする請求項２１記載の画像形成制御方法。
【請求項２３】
前記補正ステップは、前記目標値設定ステップで設定した目標値に、前記第２の周長検知ステップにより検知された周回方向の長さを考慮したオフセット値を付加することで補正することを特徴とする請求項２２記載の画像形成制御方法。
【請求項２４】
前記第１と第２の周長検知ステップは、前記中間転写体に付設される基準部材を検知する基準部材検知ステップと、前記基準部材検知ステップより得られる第１の検知信号から前記中間転写体の周回に伴い得られる第２の検知信号までの間の時間を測定する測定ステップとを備えることを特徴とする請求項２１乃至２３のいずれか１項に記載の画像形成制御方法。
【請求項２５】
前記信号生成ステップは、イエロー、マゼンタ、シアン、ブラックの各色の夫々の信号を生成する４つの信号生成ステップを備え、前記目標値設定ステップは、前記夫々の信号に対する作像タイミングの目標値を設定することを特徴とする請求項２２乃至２４のいずれか１項に記載の画像形成制御方法。
【請求項２６】
前記信号生成ステップは、少なくとも、前記中間転写体に貼り付けられる奇数枚目の記録材に対応するＡ面用と、前記中間転写体に貼り付けられる偶数枚目の記録材に対応するＢ面用の夫々の信号を生成する少なくとも２つの信号生成ステップを備え、前記目標値設定ステップは、前記Ａ面用及び前記Ｂ面用の夫々の信号に対する作像タイミングの目標値を設定することを特徴とする請求項２２乃至２４のいずれか１項に記載の画像形成制御方法。
【手続補正２】
【補正対象書類名】明細書
【補正対象項目名】０００１
【補正方法】変更
【補正の内容】
【０００１】
本発明は、画像形成装置及びその画像形成制御方法に関し、特に複写機、複合機、プリンタ等の電子写真方式で記録紙に画像形成を行い、感光体上に形成したトナー像を中間転写体に一次転写した後、中間転写体上のトナー像を記録紙に二次転写することで画像形成を行う画像形成装置及びその画像形成制御方法に関する。
【手続補正３】
【補正対象書類名】明細書
【補正対象項目名】００１４
【補正方法】変更
【補正の内容】
【００１４】
本発明の目的は、色重ねの工程における色ズレと連続コピー中の経時的な環境変化による中間転写体の周長変化による色ズレを改善することができる画像形成装置及びその画像形成制御方法を提供することにある。
【手続補正４】
【補正対象書類名】明細書
【補正対象項目名】００１５
【補正方法】変更
【補正の内容】
【００１５】
請求項１記載の画像形成装置は、電子写真方式により像担持体に形成した像を周回駆動される中間転写体に一次転写した後、前記中間転写体の像を記録材に二次転写することで画像形成を行う画像形成装置において、前記中間転写体表面をクリーニングするクリーニング手段と、前記クリーニング手段を前記中間転写体に対して、当接及び離間を行う接離手段と、前記中間転写体の周回方向の長さを検知する検知手段と、前記接離手段が前記クリーニング手段を前記中間転写体に対して当接／離間するタイミングにおいて検知された前記周回方向の長さと、前記接離手段が前記クリーニング手段を前記中間転写体に対して当接／離間しないタイミングにおいて検知された前記周回方向の長さとに基づいて、前記像担持体に対する作像タイミングを制御する制御手段とを備えることを特徴とする。
【手続補正５】
【補正対象書類名】明細書
【補正対象項目名】００１６
【補正方法】変更
【補正の内容】
【００１６】
請求項７記載の画像形成装置は、電子写真方式により像担持体に形成した像を周回駆動される中間転写体に一次転写する一次転写部と、前記中間転写体の像を記録材に二次転写する二次転写部とを備える画像形成装置において、前記二次転写部を前記中間転写体に対して、当接及び離間を行う接離手段と、前記中間転写体の周回方向の長さを検知する周長検知手段と、前記接離手段が前記二次転写部を前記中間転写体に対して当接／離間するタイミングにおいて検知された前記周回方向の長さと、前記接離手段が前記二次転写部を前記中間転写体に対して当接／離間しないタイミングにおいて検知された前記周回方向の長さとに基づいて、前記像担持体に対する作像タイミングを制御する制御手段とを備えることを特徴とする。
【手続補正６】
【補正対象書類名】明細書
【補正対象項目名】００１７
【補正方法】変更
【補正の内容】
【００１７】
請求項１５記載の画像形成制御方法は、電子写真方式により像担持体に形成した像を周回駆動される中間転写体に一次転写した後、前記中間転写体上の像を、記録材に二次転写することで画像形成を行い、前記中間転写体表面をクリーニングするクリーニング手段と、前記クリーニング手段を前記中間転写体に対して、当接及び離間を行う接離手段を有する画像形成装置の画像形成制御方法において、前記接離手段が前記クリーニング手段を前記中間転写体に対して当接／離間するタイミングにおいて前記中間転写体の周回方向の長さを検知する第１の周長検知ステップと、前記接離手段が前記クリーニング手段を前記中間転写体に対して当接／離間しないタイミングにおいて前記周回方向の長さを検知する第２の周長検知ステップと、前記第１の周長検知ステップと前記第２の周長検知ステップでの検知結果に基づいて、前記像担持体に対する作像タイミングを制御する制御ステップを備えることを特徴とする。
【手続補正７】
【補正対象書類名】明細書
【補正対象項目名】００１８
【補正方法】変更
【補正の内容】
【００１８】
請求項２１記載の画像形成制御方法は、電子写真方式により像担持体に形成した像を周回駆動される中間転写体に一次転写する一次転写部と、前記中間転写体上の像を、記録材に二次転写することで画像形成を行い、前記中間転写体上の像を記録材に二次転写する二次転写部と、前記二次転写部を前記中間転写体に対して、当接及び離間を行う接離手段を有する画像形成装置の画像形成制御方法において、前記接離手段が前記二次転写部を前記中間転写体に対して当接／離間するタイミングにおいて前記中間転写体の周回方向の長さを検知する第１の周長検知ステップと、前記接離手段が前記二次転写部を前記中間転写体に対して当接／離間しないタイミングにおいて前記周回方向の長さを検知する第２の周長検知ステップと、前記第１の周長検知ステップと前記第２の周長検知ステップでの検知結果に基づいて、前記像担持体に対する作像タイミングを制御する制御ステップとを備えることを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】変更
【補正の内容】
【００３６】
請求項１記載の画像形成装置、請求項１５記載の画像形成制御方法によれば、電子写真方式により像担持体に形成した像を周回駆動される中間転写体に一次転写した後、中間転写体の像を記録材に二次転写することで画像形成を行う画像形成装置において、中間転写体に対して、当接及び離間を行う接離手段が、中間転写体表面をクリーニングするクリーニング手段を中間転写体に対して当接／離間するタイミングにおいて検知された中間転写体の周回方向の長さと、接離手段がクリーニング手段を中間転写体に対して当接／離間しないタイミングにおいて検知された周回方向の長さとに基づいて、像担持体に対する作像タイミングを制御するので、色重ねの工程における色ズレと連続コピー中の経時的な環境変化による中間転写体の周長変化による色ズレを改善することができる。
また、請求項７記載の画像形成装置、及び請求項２１記載の画像形成制御方法によれば、二次転写部を前記中間転写体に対して、当接及び離間を行う接離手段が二次転写部を中間転写体に対して当接／離間するタイミングにおいて検知された中間転写体の周回方向の長さと、接離手段が二次転写部を中間転写体に対して当接／離間しないタイミングにおいて検知された周回方向の長さとに基づいて、像担持体に対する作像タイミングを制御するので、色重ねの工程における色ズレと連続コピー中の経時的な環境変化による中間転写体の周長変化による色ズレを改善することができる。